(57)【要約】【解決手段】電気コネクタ組立体（３００）は、複数の電気コンタクト組立体（１００）を一直線状のアレーに保持するハウジング（３０２）を具備する。これら電気コンタクト組立体はほぼ同一であり、アレー内の連続する各コンタクト組立体（１００ｂ）が直前のコンタクト組立体（１００ａ）に対して逆向きになるように、逆順に交互に配置されている。
2009520325.tif 000002
【特許請求の範囲】
【請求項１】
複数の電気コンタクト組立体（１００）を一直線状のアレーに保持するハウジング（３０２）を具備する電気コネクタ組立体（３００）において、
前記電気コンタクト組立体はほぼ同一であり、前記アレー内の連続する各コンタクト組立体（１００ｂ）が直前のコンタクト組立体（１００ａ）に対して逆向きになるように、逆順に交互に配置されていることを特徴とする電気コネクタ組立体。
【請求項２】
前記電気コネクタ組立体の各々は、第１電気コンタクト（１０２ａ）及び第２電気コンタクト（１０２ｂ）を具備し、
前記第１電気コンタクトは、嵌合部（１０４ａ）と、該嵌合部と電気的につながっている実装部（１１０ａ）とを有し、
前記第２電気コンタクトは、嵌合部（１０４ｂ）と、該嵌合部と電気的につながっている実装部（１１０ｂ）とを有し、
前記第１電気コンタクトの前記嵌合部は、前記第２コンタクトの前記嵌合部のほぼ鏡像であり、
前記第１電気コンタクトの前記実装部は、前記第２コンタクトの前記実装部をほぼ横に移行した形状であることを特徴とする請求項２記載の電気コネクタ組立体。
【請求項３】
前記電気コンタクト組立体の各々は、前記第１電気コンタクト及び前記第２電気コンタクトを離間した関係に保持する結合部材（２００）を有することを特徴とする請求項２記載の電気コネクタ組立体。
【請求項４】
前記結合部材は、前記ハウジングの突条（３１６）を受容する凹部（２０４）を有することを特徴とする請求項３記載の電気コネクタ組立体。
【請求項５】
前記電気コンタクト組立体の前記実装部は、前記一直線上のアレーに沿って千鳥配列されていることを特徴とする請求項２記載の電気コネクタ組立体。
【発明の詳細な説明】
【技術分野】
【０００１】
本発明は、複数の電気コンタクト組立体を有する電気コネクタ組立体に関する。
【背景技術】
【０００２】
印刷回路基板の一縁への嵌合等の用途用の電気コネクタは、一直線状アレーに配列された多数の電気コンタクトを有することが多い。このような電気コネクタの製造コストは、電気コンタクトをコネクタハウジング内に挿入する製造コストが支配的である。
【発明の開示】
【発明が解決しようとする課題】
【０００３】
従って、一直線状アレーに配列された多数の電気コンタクトを有する電気コネクタの製造コスト及び組立コストを低減したいニーズがある。
【課題を解決するための手段】
【０００４】
電気コネクタ組立体は、複数の電気コンタクト組立体を一直線状アレーに保持するハウジングを具備する。電気コンタクト組立体はほぼ同一であり、アレー内の連続する各コンタクト組立体が直前のコンタクト組立体に対して逆向きになるように、逆順に交互に（in a reverse alternating sequence）配置されている。
【発明を実施するための最良の形態】
【０００５】
添付図面を参照して、例示により本発明を説明する。
【０００６】
ここで開示する電気コネクタの実施形態を、同様の参照符号が同じ又は類似する要素に付された図面を参照して詳細に説明する。本明細書で使用され、伝統であるように、「末端」の語はユーザから最も遠い部分を指すのに対し、「近接」の語はユーザから最も近い部分を指す。さらに、「上」、「下」、「前方」「後方」等の用語は、図面の方向又は部品の方向を指し、説明の便宜のために単に使用されるだけである。
【０００７】
図１ないし図６を参照すると、本発明の一実施形態に従った複数の組１０１のほぼ同一の電気コンタクト組立体は、総括して参照符号１００で示される。電気コンタクト組立体１００の各組１０１は、第１電気コンタクト１０２ａ及び第２電気コンタクト１０２ｂを有する第１対１を具備する。第１対１は、第１の向き１００ａで配列されている。ほぼ同一の電気コンタクト組立体１００の各組１０１は、第１電気コンタクト１０２ａ及び第２電気コンタクト１０２ｂを有する第２対２をさらに具備する。第２対２は、第２の向き１００ｂで配列されている。図１及び図２に図示されているように、第１対１は、第２対２の鏡像として配列されている。特に、第１対１及び第２対２は、第２対２が第１対１の向き１００ａに関して逆向きであるように、互いに対して回転されている。
【０００８】
第１及び第２の電気コンタクト１０２ａ，１０２ｂの各々は、相手電気デバイスの接触パッド又は他の接触面と係合するために、接触面１０６ａ，１０６ｂを有する嵌合部１０４ａ，１０４ｂをそれぞれ有する。第１及び第２の電気コンタクト１０２ａ，１０２ｂの各々は、実装部すなわちテール部１１０ａ，１１０ｂをそれぞれ有する。実装部１１０ａ，１１０ｂは、嵌合部１０４ａ，１０４ｂとそれぞれ電気的につながっている。第１及び第２の電気コンタクト１０２ａ，１０２ｂは、大部分が直線的であると共に嵌合部１０４ａ，１０４ｂから実装部すなわちテール部１１０ａ，１１０ｂまで延びる延長部すなわち接触ビーム部１０８ａ，１０８ｂをそれぞれ有してもよい。製造切断領域１１４ａ，１１４ｂが、延長部すなわち接触ビーム部１０８ａ，１０８ｂ内にそれぞれ含まれてもよい。延長部すなわち接触ビーム部１０８ａ，１０８ｂは、嵌合部１０４ａ，１０４ｂ及び実装部１１０ａ，１１０ｂと電気的につながっている。
【０００９】
実装部１１０ａ，１１０ｂは、弾性テール部すなわち圧入テール部として図１に示されている。各弾性テール部は開口１１２ａ，１１２ｂを有する。実装部１１０ａ，１１０ｂは、印刷回路基板（ＰＣＢ）又は他の電気デバイスのめっきされたスルーホール（図示せず）内に挿入される際に圧縮され、ＰＣＢ又は他の電気デバイスと電気的連続性を構築する。実装部１１０ａ，１１０ｂはまた、表面実装コンタクト、ピンコンタクトすなわちポストコンタクト等を有してもよい。実施形態は、この点に関しては限定されない。
【００１０】
第１電気コンタクト１０２ａの嵌合部１０４ａは、第２電気コンタクト１０２ｂの嵌合部１０４ｂのほぼ鏡像である。同様に、第１電気コンタクト１０２ａの延長部すなわち接触嵌合ビーム部１０８ａは、第２電気コンタクト１０２ｂの延長部すなわち接触嵌合ビーム部１０８ｂのほぼ鏡像である。しかし、第１電気コンタクト１０２ａの実装部すなわちテール部１１０ａは、第２電気コンタクト１０２ｂの実装部すなわちテール部１１０ｂのほぼ横に移行したイメージすなわち形状である。
【００１１】
電気コンタクト組立体１００は、第１電気コンタクト１０２ａ及び第２電気コンタクト１０２ｂを互いに離間して保持する結合部材２００をさらに有するので、第１電気コンタクト１０２ａの実装部１１０ａは第２電気コンタクト１０２ｂの実装部１１０ｂのほぼ横に移行して配向されている。
【００１２】
一実施形態において、結合部材２００は、第１電気コンタクト１０２ａの延長部すなわち接触ビーム部１０８ａを第２電気コンタクト１０２ｂの延長部すなわち接触ビーム部１０８ｂに接続するので、第１電気コンタクト１０２ａの実装部１１０ａは、第２電気コンタクト１０２ｂの実装部１１０ｂのほぼ横に移行して配向されている。結合部材２００は、プラスチック等の絶縁材料製であってもよく、第１及び第２の電気コンタクト１０２ａ，１０２ｂ間を電気的に絶縁できるオーバーモールド等の構造部材であってもよい。実施形態は、この点に関しては限定されない。
【００１３】
結合部材２００は、実装部１１０ａ，１１０ｂが露出するように構成されている。一実施形態において、結合部材２００は、以下に説明するように電気コネクタのハウジングの表面に嵌合するための凹部２０４をさらに有してもよい。さらに、オーバーモールド部材すなわち結合部材２００は、延長部すなわち接触嵌合ビーム部１０８ａ，１０８ｂの少なくとも一部を露出するよう結合部材２００を貫通する少なくとも１個の開口、典型的には少なくとも２個の開口２０２ａ，２０２ｂをさらに有してもよい。
【００１４】
図３ないし図７に示されるように、本発明はまた、ハウジング３０２を有する電気コネクタすなわち電気コネクタ組立体３００に関する。ハウジング３０２は、部品３２０のアレーへのアクセスを可能にする第１及び第２の開口３１０，３１２を有する。ハウジング３０２は、分割された互いに隣接する絶縁区画３２２のアレー３２０を介してほぼ同一の電気コンタクト組立体１００の少なくとも１組１０１を受容するよう構成されている。分割された区画のアレー３２０は、ハウジング３０２の長さＬに沿ってほぼ中心に位置する隔壁３１４の壁を介して互いに電気的及び機械的に分離された第１アレー３０６ａ〜３０６ｎ及び第２アレー３０８ａ〜３０８ｎに細分割されている。ここで、「ａ」は１に等しい数であり、「ｎ」は１より大きい数である。壁すなわち隔壁３１４は、長さＬに沿ってほぼ中心に配置された突条すなわち鞍部材３１６を有する。オーバーモールド部２００の凹部２０４は、電気コンタクト組立体１００がハウジング３０２に受容される際に、電気コンタクト組立体１００に対してある程度の安定性を与えるために突条すなわち鞍部材３１６と係合する。
【００１５】
アレー３２０の区画３２２は、第１開口３１０で第１及び第２の電気コンタクト１０２ａ，１０２ｂの実装部１１０ａ，１１０ｂを露出するよう構成されている。特に図３ないし図７に示されているように、複数のコンタクト組立体１００は、直線状アレー内に順に複数の組１０１に配列されている。このため、複数のコンタクト組立体１００の電気コンタクト１０２ａ，１０２ｂは、直前のコンタクト組立体１００の第１の向き１００ａに対して逆向きである第２の向き１００ｂに配列されるので、直前のコンタクト組立体の実装部１１０ｂ，１１０ａに対してそれぞれ千鳥配列された電気コンタクト組立体１００の実装部１１０ａ，１１０ｂを露出する。アレー３２０の区画３２２は、第２開口３１２で第１及び第２の電気コンタクト１０２ａ，１０２ｂの嵌合部１０４ａ，１０４ｂを露出するよう構成されている。
【００１６】
上述の構成の結果、電気コネクタ組立体３００は、ハウジング３０２、及び少なくとも１組１０１のほぼ同一のコンタクト組立体１００を有する。一実施形態において、ハウジング３０２は、複数のほぼ同一のコンタクト組立体１００を有する。各コンタクト組立体１００は、実装部１１０ａ，１１０ｂがハウジング３０２に受容されるよう構成された少なくとも１対１，２の電気コンタクト１０２ａ，１０２ｂを有する。複数のコンタクト組立体１００は、ハウジング３０２内に直線アレーで順に配列されている。各コンタクト組立体１００は、交互の第１及び第２の向き１００ａ，１００ｂにそれぞれ順に配列されている。第２の向き１００ｂは、第１の向き１００ａに対して逆向きである。
【００１７】
さらに、電気コネクタ組立体３００は、直線状アレー且つ交互の逆順に配列された複数組１０１の同一コンタクト組立体１００を保持するハウジング３０２を有するので、アレー内の連続する各コンタクト組立体１００は、直前のコンタクト組立体１００の向き１００ａに対して逆向き１００ｂである。
【００１８】
図８及び図９は、電気コンタクト組立体１００の製造方向を開示する。特に、図８に示されるように、この方法は、キャリアストリップ４００を設ける工程と、少なくとも第１電気コンタクト組立体１００を形成するためにキャリアストリップ４００を打抜き加工する工程とを有する。一実施形態において、キャリアストリップを打抜き加工する工程は、複数の電気コンタクト組立体１００を形成することにより実施される。各電気コンタクト組立体１００は、第１電気コンタクト１０２ａ及び第２電気コンタクト１０２ｂを有する。第１電気コンタクト１０２ａは、実装部１１０ａが嵌合部１０４ａ（図１参照）と電気的につながるよう構成される。同様に、第２電気コンタクト１０２ｂは、実装部１１０ｂが嵌合部１０４ｂと電気的につながるよう構成される。第１及び第２の電気コンタクト１０２ａ,１０２ｂは、嵌合部１０４ａ，１０４ｂ及び実装部１１０ａ，１１０ｂ間をそれぞれ電気的につなぐように導電性材料製である。
【００１９】
第１電気コンタクト１０２ａの嵌合部１０４ａは第２電気コンタクト１０２ｂの嵌合部１０４ｂのほぼ鏡像であるのに対し、第１電気コンタクト１０２ａの実装部１１０ａは第２電気コンタクト１０２ｂの実装部１１０ａをほぼ横に移行したイメージである。本方法の一実施形態において、第１及び第２の電気コンタクト１０２ａ，１０２ｂは、嵌合部１０４ａ，１０４ｂから延びる接触ビームすなわち延長部１０８ａ，１０８ｂ（図１参照）をそれぞれ有する。延長部１０８ａ，１０８ｂは、嵌合部１０４ａ，１０４ｂ及び実装部１１０ａ，１１０ｂ間をそれぞれ電気的につなげてもよい。第１電気コンタクト１０２ａの延長部１０８ａは、第２電気コンタクト１０２ｂの延長部１０８ｂのほぼ鏡像であってもよい。
【００２０】
本製造方法は、電気コンタクト組立体１００を形成するために、第１電気コンタクト１０２ａを第２電気コンタクト１０２ｂに結合する工程をさらに有してもよい。一実施形態において、第１電気コンタクト１０２ａを第２電気コンタクト１０２ｂに結合する工程は、第１及び第２の電気コンタクト１０２ａ，１０２ｂ上にそれぞれオーバーモールド部２００を形成することにより実施される。オーバーモールド部２００は、第１及び第２の電気コンタクト１０２ａ，１０２ｂ間を絶縁することができる。一実施形態において、本製造方法は、製造切断部１１４ａ，１１４ｂを介してキャリアストリップ４００から第１電気コンタクト組立体１００を切断する工程をさらに有してもよい。本方法は、ハウジング３０２の突条すなわち鞍部材３１６と嵌合するために、結合部材すなわちオーバーモールド部２００に凹部２０４を設ける工程をさらに有してもよい。本製造方法は、実装部１１０ａ，１１０ｂの少なくとも一部を露出するように結合部材すなわちオーバーモールド部２００を貫通する少なくとも１個の開口２０２ａ、典型的には少なくとも２個の開口２０２ａ，２０２ｂを設ける工程をさらに有してもよい。
【００２１】
上述の開示から理解できるように、本発明の実施形態は、電気コネクタに大量に挿入可能である電気コンタクト組立体を提供し、その双方とも製造及び組立コストを低減するよう構成されている。千鳥状の実装部の配置は、実装部を受容するよう意図された電気デバイスに電気的に接続又は嵌合するための空間を節約することができる。
【図面の簡単な説明】
【００２２】
【図１】本発明に従った一組の電気コンタクト組立体用の２対の電気コンタクトを示す側面図である。
【図２】本発明に従った一組の２個の電気コンタクト組立体を示す側面図である。
【図３】本発明に従った電気コネクタ組立体に挿入される一組の電気コンタクト組立体を示す斜視図である。
【図４】本発明に従った電気コネクタ組立体の上面に挿入された電気コンタクト組立体の部分拡大斜視側面図である。
【図５】図４に図示された電気コネクタ組立体の上面に挿入された電気コンタクト組立体全体を示す斜視図である。
【図６】本発明に従った電気コネクタ組立体の下面に挿入された電気コンタクト組立体を示す斜視図である。
【図７】電気コンタクト組立体を示す、図６の７−７線に沿って断面した電気コネクタ組立体の端部を示す斜視図である。
【図８】本発明に従った複数対の電気コンタクト組立体を製造するための製造方法における一工程中のキャリアストリップを示す平面図である。
【図９】本発明に従った複数対の電気コンタクト組立体を製造するための製造方法における他の工程中のキャリアストリップを示す平面図である。
【符号の説明】
【００２３】
１００    電気コンタクト組立体
１００ａ  第１の向き
１００ｂ  第２の向き
１０２ａ  第１電気コンタクト
１０２ｂ  第２電気コンタクト
１０４ａ  嵌合部
１０４ｂ  嵌合部
１１０ａ  実装部
１１０ｂ  実装部
２００    結合部材
２０４    凹部
３００    電気コネクタ組立体
３０２    ハウジング
３１６    突条
【図１】
2009520325.tif 000003
【図２】
2009520325.tif 000004
【図３】
2009520325.tif 000005
【図４】
2009520325.tif 000006
【図５】
2009520325.tif 000007
【図６】
2009520325.tif 000008
【図７】
2009520325.tif 000009
【図８】
2009520325.tif 000010
【図９】
2009520325.tif 000011
【国際調査報告】
2009520325.tif 000012
2009520325.tif 000013